(57)【要約】【課題】体格を小さくでき、精密、簡素、巧妙である放射線状放熱装置を提供する。【解決手段】伝熱コア体１は、外周壁に複数の放熱片２が放射状に連結され、底面には湾曲伝熱管３を嵌入するための嵌入溝が配置されている。複数の放熱片２は、扇形をなし、径内方向端部が伝熱コア体１の外周壁に連結され、隣接片に対応する嵌入凹部がそれぞれに配置されている。二つの湾曲伝熱管３は、伝熱コア体１の底面の嵌入溝にフラット状態で嵌入して緊密結合をなし、隣り合う放熱片２の嵌入凹部に嵌合し位置決めされている。伝熱コア体１、放熱片２及び湾曲伝熱管３が緊密固定されて構成される放射線状放熱装置は、各構成要素の配置空間を節約するため、放熱装置の体積を更に縮減し、精密、簡素、巧妙という効果を達成する。【選択図】図１
0003166869.tif 000002
【実用新案登録請求の範囲】
【請求項１】
底面に嵌入溝を有する伝熱コア体と、
前記伝熱コア体の径外方向に放射状に配置され、外観上扇形となっており、径内方向端部が前記伝熱コア体の外周壁に連結されるとともに、複数の嵌入凹部が形成されている複数の放熱片と、
前記伝熱コア体の底面の前記嵌入溝にフラット状態で嵌入して緊密に結合され、複数の前記放熱片の前記複数の嵌入凹部に嵌合し位置決めして構成されている一つ以上の湾曲伝熱管とを備えていることを特徴とする放射線状放熱装置。
【請求項２】
前記伝熱コア体は、円形、方形、規則性形状を有するか、または不規則な形状を有することを特徴とする請求項１に記載の放射線状放熱装置。
【請求項３】
前記嵌入凹部は、前記放熱片の上部エッジに配置されていることを特徴とする請求項１に記載の放射線状放熱装置。
【請求項４】
前記嵌入凹部は、前記放熱片の下部エッジに配置されていることを特徴とする請求項１に記載の放射線状放熱装置。
【請求項５】
複数の前記放熱片は、嵌入結合して前記伝熱コア体の外周壁に連結されていることを特徴とする請求項１に記載の放射線状放熱装置。
【請求項６】
複数の前記放熱片は、二つに分かれた集中分布をなし、形成される二つの扇形の径内方向端部が前記伝熱コア体の外周壁に連結され、各分布の前記放熱片の上部エッジ或いは下部エッジにそれぞれを嵌合し位置決めする二つの前記湾曲伝熱管が組み合わされ、且つ隣接する各前記伝熱管は全てフラット状態で前記伝熱コア体の底面に嵌入して緊密結合をなすことを特徴とする請求項１に記載の放射線状放熱装置。
【請求項７】
複数の前記放熱片は、二つに分かれた集中分布をなし、形成される二つの扇形の径内方向端部が前記伝熱コア体の外周壁に連結され、各分布の前記放熱片の上部エッジ或いは下部エッジに二つの前記湾曲伝熱管がそれぞれ嵌合し位置決めされ、且つ隣接する各前記伝熱管は全てフラット状態で前記伝熱コア体の底面に嵌入されて緊密結合をなすことを特徴とする請求項１に記載の放射線状放熱装置。
【請求項８】
複数の前記放熱片は、二つに分かれた集中分布をなし、形成される二つの扇形の径内方向端部が前記伝熱コア体の外周壁に連結され、並びに、各分布の前記放熱片の上部エッジ及び下部エッジには何れにも上、下に隣接して対応する嵌入凹部が配置され、二つの上下に交錯する前記湾曲伝熱管がそれぞれ嵌合し位置決めされ、且つ隣接する各前記伝熱管は全てフラット状態で前記伝熱コア体の底面に嵌入されて緊密結合をなすことを特徴とする請求項１に記載の放射線状放熱装置。
【請求項９】
複数の前記放熱片は、二つに分かれた集中分布をなし、形成される二つの扇形の径内方向端部が前記伝熱コア体の外周壁に連結され、並びに、各分布の前記放熱片の上部エッジ及び下部エッジには何れにも上、下に隣接して対応する嵌入凹部が配置され、二つの上下に交錯する前記湾曲伝熱管がそれぞれ嵌合し位置決めされ、同一分布の前記上、下伝熱管は隣接してフラット状態で前記伝熱コア体の底面と頂面に嵌入されて緊密結合をなすことを特徴とする請求項１に記載の放射線状放熱装置。
【考案の詳細な説明】
【技術分野】
【０００１】
本考案は、主に、全体を組み合わせて緊密結合を形成する放射線状放熱装置に関し、特に、中央処理演算器（ＣＰＵ）に適用し、直接接触の放熱機能を提供する放射線状放熱装置に係る。
【背景技術】
【０００２】
公知の放射線状放熱装置は、複数の放熱片及び伝熱体により構成され、主に、複数の放熱片は伝熱体に対して半径方向に嵌入した外壁面により構成されている。伝熱体は、円形、方形、或いはその他任意形状の管体或いは中実体とする。公知の放射線状放熱装置は、熱源（例えば、中央処理器（ＣＰＵ）やその他発熱部）はただ伝熱体及び複数の放熱片を通過して放熱されるのみで、放熱効果が比較的緩慢なため、スピーディーな放熱ニーズには応えられないものである。
【考案の概要】
【考案が解決しようとする課題】
【０００３】
本考案の主な目的は、体格を小さくし、放熱効率を向上した放射線状放熱装置を提供することにある。
【課題を解決するための手段】
【０００４】
放射線状放熱装置は、伝熱コア体、複数の放熱片及び少なくとも一つ以上の湾曲伝熱管により構成される。
複数の放熱片は、扇形をなし、径内方向端部を伝熱コア体の外周壁に連結する。
湾曲伝熱管は、伝熱コア体の底面にフラット状態で嵌入して緊密結合し、放熱片の上部エッジ或いは／及び下部エッジに嵌合し位置決めされる。前述により、緊密固定して少なくとも一つ以上の湾曲伝熱管を備える放射線状放熱装置が組み立てられる。湾曲伝熱管は伝熱コア体の底面にフラット状態で露出し、直接熱源に接触することにより、熱は伝熱コア体、伝熱管及び複数の放熱片を伝搬した後、スピーディーな放熱効果を得ることができる。
それは、伝熱コア体、複数の放熱片及び少なくとも一つ以上の湾曲伝熱管を備える。複数の放熱片は、扇形をなし、局部を伝熱コア体の外周壁に繞設連結している。湾曲伝熱管は、伝熱コア体の底面にフラット状態で嵌入して緊密結合をなし、伝熱管は放熱片の上部エッジ或いは／及び下部エッジに嵌合定位する。
これにより、緊密固定をなして構成される放射線状放熱装置は、各構成要素の配置空間を節約するため、放熱装置の体積を更に縮減し、精密、簡素、巧妙という効果を達成する。また、中央処理器（ＣＰＵ）やその他発熱部の熱源に直接接触するのに非常に適している故、熱は伝熱コア体、伝熱管及び複数の放熱片を通過した後、スピーディーな放熱効果を得ることができる。
【０００５】
本考案の放射線状放熱装置によると、複数の放熱片は、二つに分かれた集中分布をなし、形成される二つの扇形の径内方向端部が伝熱コア体の外周壁に連結され、各分布の放熱片の上部エッジ或いは下部エッジに二つの湾曲伝熱管がそれぞれ嵌合し位置決めされ、且つ隣接する各伝熱管は全てフラット状態で伝熱コア体の底面に嵌入されて緊密結合をなすことを特徴とする。
【０００６】
本考案の別の放射線状放熱装置によると、複数の放熱片は、二つに分かれた集中分布をなし、形成される二つの扇形の径内方向端部が伝熱コア体の外周壁に連結され、並びに、各分布の放熱片の上部エッジ及び下部エッジには何れにも上、下に隣接して対応する嵌入凹部が配置され、二つの上下に交錯する湾曲伝熱管がそれぞれ嵌合し位置決めされ、且つ隣接する各伝熱管は全てフラット状態で伝熱コア体の底面に嵌入されて緊密結合をなすことを特徴とする。
本考案のまた別の放射線状放熱装置によると、複数の放熱片は、二つに分かれた集中分布をなし、形成される二つの扇形の径内方向端部が伝熱コア体の外周壁に連結され、並びに、各分布の放熱片の上部エッジ及び下部エッジには何れにも上、下に隣接して対応する嵌入凹部が配置され、二つの上下に交錯する湾曲伝熱管がそれぞれ嵌合し位置決めされ、同一分布の上、下伝熱管は隣接してフラット状態で伝熱コア体の底面と頂面に嵌入されて緊密結合をなすことを特徴とする。
【考案の効果】
【０００７】
本考案の放射線状放熱装置は、各構成要素の配置空間を節約するため、放熱装置の体積を更に縮減し、精密、簡素、巧妙という効果を達成する。また、中央処理器（ＣＰＵ）やその他発熱部の熱源に直接接触するのに非常に適している故、熱は伝熱コア体、伝熱管及び複数の放熱片を通過した後、スピーディーな放熱効果を得ることができる。
【図面の簡単な説明】
【０００８】
【図１】本考案の第一実施形態による放射線状放熱装置を示す斜視図である。
【図２】本考案の第一実施形態による放射線状放熱装置を示す底面図である。
【図３】図２をＡ─Ａ線で切断した断面図である。
【図４】本考案の第一実施形態による放射線状放熱装置の伝熱コア体を示す斜視図である。
【図５】本考案の第二実施形態による放射線状放熱装置を示す斜視図である。
【図６】本考案の第二実施形態による放射線状放熱装置を示す底面図である。
【図７】図６をＡ─Ａ線で切断した断面図である。
【図８】本考案の第三実施形態による放射線状放熱装置を示す斜視図である。
【図９】本考案の第三実施形態による放射線状放熱装置を示す底面図である。
【図１０】図９をＡ─Ａ線で切断した断面図である。
【図１１】本考案の第四実施形態による放射線状放熱装置を示す斜視図である。
【図１２】本考案の第四実施形態による放射線状放熱装置を示す底面図である。
【図１３】図１２をＡ─Ａ線で切断した断面図である。
【図１４】本考案の第五実施形態による放射線状放熱装置を示す斜視図である。
【図１５】本考案の第五実施形態による放射線状放熱装置を示す底面図である。
【図１６】図１５をＡ─Ａ線で切断した断面図である。
【考案を実施するための形態】
【０００９】
（第一実施形態）
図１から図４には、本考案の第一実施形態による放射線状放熱装置を示す。伝熱コア体１、複数の放熱片２及び湾曲伝熱管３を備える。
伝熱コア体１は、図４に示す通りであり、中実取付体（或いは中空取付体）とし、外周壁には放射状に複数の放熱片２を連結し、底面には湾曲伝熱管３を嵌入するための嵌入溝１１を配置している。
【００１０】
複数の放熱片２は、扇形をなし、径内方向端部を伝熱コア体１の外周壁に連結し、各放熱片２の上部エッジには相隣して対応する嵌入凹部２１（図３参照）を備える。実施形態に示す通り、各放熱片２は、嵌合方式で伝熱コア体１の外周壁に連結する。
【００１１】
湾曲伝熱管３は、フラット状態で伝熱コア体１の底面の嵌入溝１１に嵌入すると、緊密に結合される（図２、図３参照）。湾曲伝熱管３は、放熱片２の上部エッジに形成される嵌入凹部２１に嵌合可能に嵌入凹部２１の形状に対応している。前述に従い、少なくとも一つの湾曲伝熱管３を備え、緊密固定する放射線状放熱装置が組み立てられる。伝熱管３がフラット状態で伝熱コア体１の底面に露出する。このため、湾曲伝熱管３が直接熱源（ＣＰＵ等）に接触し、熱は伝熱コア体１、湾曲伝熱管３及び複数の放熱片２を伝搬し、スピーディーな放熱効果を得ることができる。
【００１２】
（第二実施形態）
図５から図７には、本考案の第二実施形態による放射線状放熱装置を示す。複数の放熱片２は、二つに分かれた集中分布をなしているため、二つの扇形を形成して、径内方向端部を伝熱コア体１の外周壁に連結する。伝熱コア体１の外周壁から放射状に延びる複数の放熱片２は、上部エッジ（或いは下部エッジ）に二つの湾曲伝熱管３を嵌入凹部２１に嵌合し位置決めする。また、各伝熱管３は、フラット状態で連接する伝熱コア体１の底面に嵌入して緊密結合をなすことにより、二つの伝熱管３を備える放射線状放熱装置が完成する。
【００１３】
（第三実施形態）
図８から図１０には、本考案の第三実施形態による放射線状放熱装置を示す。複数の放熱片２は、二つに分かれた集中分布をなしているため、二つの扇形を形成し、径方向端部を伝熱コア体１の外周壁に放射状に連結する。複数の放熱片２は、上部エッジ（或いは下部エッジ）に二種の湾曲伝熱管３３，３４，３５，３６を嵌合定位させるのに用いる。また、各伝熱管３３，３４，３５，３６はフラット状態で連結する伝熱コア体１の底面に嵌入して緊密結合をなすことにより、四つの湾曲伝熱管３３，３４，３５，３６を備える放射線状放熱装置が完成する。
【００１４】
（第四実施形態）
図１１から図１３には、本考案の第四実施形態による放射線状放熱装置を示す。その内、複数の放熱片２は、二つに分かれた集中分布をなしているため、二つの扇形を形成して、径方向端部を伝熱コア体１の外周壁に連結している。各分布の放熱片２の上部エッジ及び下部エッジには何れにも上、下に隣接して対応する嵌入凹部２１ａ、嵌入凹部２１ｂ（図１３参照）を配置し、並びに、二つの上下に交差する湾曲伝熱管３７，３８，３９，４０をそれぞれ嵌合し位置決めしている。各湾曲伝熱管３７，３８，３９，４０はフラット状態で連結する伝熱コア体１の底面に嵌入して緊密結合をなすことにより、四つの上下交錯する湾曲伝熱管を備えた放射線状放熱装置が完成する。
【００１５】
（第五実施形態）
更に、図１４から図１６には、本考案の第五実施形態による放射線状放熱装置を示す。その内、複数の放熱片２は、二つに分かれた集中分布をなしているため、二つの扇形を形成して、径内方向端部を伝熱コア体１の外周壁に連結している。各分布の放熱片２の上部エッジ及び下部エッジには何れにも上、下に隣接して対応する嵌入凹部２１ａ、嵌入凹部２１ｂ（図１６参照）を配置し、この嵌入凹部２１ａ、嵌入凹部２１ｂに、二つの上下に交差する湾曲伝熱管４１，４２，４３，４４をそれぞれ嵌合し位置きめする。同一分布の上、下伝熱管３は連結する伝熱コア体１の底面と頂面にそれぞれフラット状態で嵌入して緊密結合を形成する。これにより、上下に交差する四つの湾曲伝熱管４１，４２，４３，４４がそれぞれ隣接し、フラット状態で伝熱コア体１の底面と頂面に嵌入する放射線状放熱装置が完成する。
【００１６】
（他の実施形態）
本考案による伝熱コア体は、上記実施形態では円形のものを図示したが、異なる要望に応じて、方形、或いはその他規則或いは不規則形状とすることが可能である。
複数の放熱片に備える嵌入凹部の位置は、上部エッジでも各放熱片の下部エッジであってもよい。
放熱片の数量、形状、嵌入位置は自由に変更可能であり、放熱片と伝熱コア体との結合方式については嵌合、一体成形、ハンダ接合等の各種結合形態の実施を可能とする。
【００１７】
上述した通り、本実施形態の放射線状放熱装置における構成の特徴及び手段は、明らかに公知の放熱装置と異なり、各構成要素の配置空間を節約できるため、放熱装置の体積を更に縮減し、全体構成に多様的変化を備えさせ、精密、簡素、巧妙であるという効果を奏する。
【符号の説明】
【００１８】
１    ・・・伝熱コア体、
２    ・・・放熱片、
３    ・・・湾曲伝熱管、
１１  ・・・嵌入溝、
２１  ・・・嵌入凹部、
２１ａ・・・上嵌入凹部、
２１ｂ・・・下嵌入凹部
【図１】
0003166869.tif 000003
【図２】
0003166869.tif 000004
【図３】
0003166869.tif 000005
【図４】
0003166869.tif 000006
【図５】
0003166869.tif 000007
【図６】
0003166869.tif 000008
【図７】
0003166869.tif 000009
【図８】
0003166869.tif 000010
【図９】
0003166869.tif 000011
【図１０】
0003166869.tif 000012
【図１１】
0003166869.tif 000013
【図１２】
0003166869.tif 000014
【図１３】
0003166869.tif 000015
【図１４】
0003166869.tif 000016
【図１５】
0003166869.tif 000017
【図１６】
0003166869.tif 000018